(57)【要約】      （修正有）【課題】輻射暖房のための輻射熱量を増加できる暖房装置を提供する。【解決手段】バーナ部１と、該バーナ部１の上方に配置した集熱部７と、該集熱部７から垂下して設けられた赤熱筒９と、該赤熱筒９を内設し前記バーナ部１と前記集熱部７との間を密閉空間として連通する燃焼筒６と、温風ファンと、該温風ファンと前記集熱部７と連通した熱交換器１１と、装置前面に設けた輻射部とを備えた暖房装置に於いて、前記燃焼筒６を中空四角柱状に形成すると共に、前記燃焼筒６内上部に略四角形状の中板３５を設け、該中板３５の外周と前記燃焼筒６内周との間に隙間部４２を形成したので、中板３５と燃焼筒６の内周との間の隙間部４２を通過する燃焼ガスの流れにより燃焼筒６が加熱され、赤熱筒９と燃焼ガスとにより燃焼筒６が高温になって輻射量を増加することができる。【選択図】図３
2020070964.tif 000002
【特許請求の範囲】
【請求項１】
バーナ部と、該バーナ部の上方に配置した集熱部と、該集熱部から垂下して設けられた赤熱筒と、該赤熱筒を内設し前記バーナ部と前記集熱部との間を密閉空間として連通する燃焼筒と、温風ファンと、該温風ファンと前記集熱部と連通した熱交換器と、装置前面に設けた輻射部とを備えた暖房装置に於いて、前記燃焼筒を中空四角柱状に形成すると共に、前記燃焼筒内上部に略四角形状の中板を設け、該中板の外周と前記燃焼筒内周との間に隙間部を形成したことを特徴とする暖房装置。
【請求項２】
前記隙間部は、前記燃焼筒内周の略全周に形成したことを特徴とする請求項１記載の暖房装置。
【発明の詳細な説明】
【技術分野】
【０００１】
本発明は、この発明は、輻射暖房と温風暖房の両方で良好な暖房効果を得ることが出来る暖房装置に関するものである。
【背景技術】
【０００２】
従来この種のものでは、バーナ部での燃焼で発生した燃焼ガスを、輻射室に位置しバーナ部と熱交換器を結ぶ密閉構造の燃焼筒を通し、内方に備えられた赤熱筒を加熱して赤熱状態としながら、上方の熱交換器内に流通させ、ここに上方の温風ファンからの室内空気を送風し、熱交換によって温風として横長吹出部から放出し室内を温風で暖房するものであり、又、赤熱筒の赤熱状態を透明の燃焼筒を介して、該燃焼筒の周囲を囲った反射板で反射し、前面の縦ビードを有した大面積の耐熱ガラスから放射して、輻射暖房も行うものであった。
【０００３】
前記燃焼筒は、バーナ部と集熱部との間を密閉空間として連通する耐熱性の透明ガラス円筒からなり、内方には燃焼ガスで加熱され赤熱状態と成る赤熱筒が集熱部から垂下し、バーナ部の燃焼室を構成するものであり、赤熱筒の赤熱状態を前板中央で該赤熱筒と対向する位置に備えた耐熱ガラスを介して、前面に放射して輻射暖房を行わせるものであった。（例えば、特許文献１参照）
【０００４】
ところでこの従来のものは、燃焼筒の周囲を囲った反射板で赤熱筒の輻射熱を反射して、器具前面の耐熱ガラスから広角に輻射熱を放射していたが、器具前面への輻射熱を増加させるために輻射面の面積を大きくしようとしても、器具自体を大きくすることはできず、又、主たる輻射面となる耐熱ガラスも面積の大きいものを既に使用しているので、更に面積の大きい耐熱ガラスを使用できず、したがって、輻射面の面積を大きくすることはできなかった。
【０００５】
又、器具前面への輻射熱を増加させるために輻射面の温度を高くしようとしても、輻射熱の輻射源の器具前面の前板と耐熱ガラスと、加熱源の赤熱筒を内蔵した燃焼筒とが別々のため、輻射源の器具前面の前板と耐熱ガラスを効率よく加熱することができず、輻射源である器具前面の前板と耐熱ガラスの温度を更に高くすることは難しかった。
【０００６】
そこで先に出願人は、赤熱筒を内設し前記バーナ部と前記集熱部との間を密閉空間として連通する燃焼筒を中空四角柱状に形成すると共に、輻射暖房を行う輻射部を前記燃焼筒の前面を露出させることで形成した暖房装置を提案している。（特許文献２参照）
【先行技術文献】
【特許文献】
【０００７】
【特許文献１】特開２００１−３０４６９４号公報
【特許文献２】特願２０１８−１７０６４０
【発明の概要】
【発明が解決しようとする課題】
【０００８】
ところでこの従来のものは、集熱部内に仕切り板を設け、集熱部内に燃焼ガスの略コの字状の燃焼ガス流路を形成し、前記仕切り板に赤熱筒が取り付けられた仕切り板蓋が密着して取り付けられており、燃焼により発生した燃焼ガスは、バーナ部から赤熱筒内と赤熱筒と燃焼筒との間を上昇して集熱部に流れていくが、赤熱筒及びその周辺を燃焼ガスが上昇してしまうために燃焼ガスにより効率よく燃焼筒を加熱するのが難しかった。
【課題を解決するための手段】
【０００９】
本発明は上記課題を解決するために、請求項１では、バーナ部と、該バーナ部の上方に配置した集熱部と、該集熱部から垂下して設けられた赤熱筒と、該赤熱筒を内設し前記バーナ部と前記集熱部との間を密閉空間として連通する燃焼筒と、温風ファンと、該温風ファンと前記集熱部と連通した熱交換器と、装置前面に設けた輻射部とを備えた暖房装置に於いて、前記燃焼筒を中空四角柱状に形成すると共に、前記燃焼筒内上部に略四角形状の中板を設け、該中板の外周と前記燃焼筒内周との間に隙間部を形成したものである。
【００１０】
また、請求項２では、前記請求項１に於いて、前記隙間部は、前記燃焼筒内周の略全周に形成したものである。
【発明の効果】
【００１１】
この発明の請求項１によれば、燃焼筒を中空四角柱状に形成すると共に、前記燃焼筒内上部に略四角形状の中板を設け、該中板の外周と前記燃焼筒内周との間に隙間部を形成したので、中板と燃焼筒の内周との間の隙間部を通過する燃焼ガスの流れにより燃焼筒が加熱され、赤熱筒と燃焼ガスとにより燃焼筒が高温になって輻射量を増加することができるものである。
【００１２】
また、請求項２によれば、前記隙間部は、前記燃焼筒内周の略全周に形成したので、前記中板外周のほぼ全周に形成されている中板と燃焼筒の内周との間の隙間部を通過する燃焼ガスの流れにより、燃焼筒が全体的に加熱されて、ほぼ均一に加熱されて燃焼筒全体が温度ムラなく高温になり、輻射量が増加と共に、効率よく放熱できるものである。
【図面の簡単な説明】
【００１３】
【図１】この発明の一実施形態を示す暖房装置の斜視図。
【図２】同前板を外した状態の暖房装置の斜視図。
【図３】同縦断面要図。
【図４】同熱交換器と燃焼筒の分解斜視図。
【図５】同正面図。
【図６】同燃焼筒の要部底面図。
【発明を実施するための形態】
【００１４】
次に、本発明に係る発明の１実施形態を図面に基づいて説明する。
１は器具本体２内で下反射板３で仕切られた下部に備えられた気化式のバーナ部で、燃焼ファン（図示せず）によって室内から吸引された燃焼空気と、燃料ポンプ４を備えたオイルレベラーからなる燃料供給手段５から供給される燃油とを予混合して燃焼させるものである。
【００１５】
６はバーナ部１と集熱部７との間を密閉空間として連通する金属製の燃焼筒で、上下に開口した中空四角柱状に形成されると共に、前面下部には拡散ガラス取付口８が形成され、又、内方には燃焼ガスで加熱され赤熱状態となる赤熱筒９が集熱部７から垂下し、バーナ部１の燃焼室１０を構成するもので、燃焼筒６が輻射暖房のための加熱源となるものである。
【００１６】
１１は上記集熱部７と連通し、燃焼ガスを流通させて室内空気との熱交換を行わせる熱交換器で、複数本のパイプ１２を並設して構成されているもので、前記集熱部７は、赤熱筒９を取付けて燃焼筒６内に垂下させると共に、バーナ部１から上昇して赤熱筒９や燃焼筒６を加熱する燃焼ガスを上部の熱交換器１１に流通させるものである。
【００１７】
１３は耐熱ガラスで、中央部分が開口した枠状のガラス用パッキン１４、１５を前後に設け、耐熱ガラス１３の前方から中央部分が開口した枠状のガラス押え１６を固定ネジ１７にて前記燃焼筒６の拡散ガラス取付口８に取り付けられるもので、それにより前記耐熱ガラス１３の前側のガラス用前パッキン１４はガラス押え１６に密着し、前記耐熱ガラス１３の後側のガラス用後パッキン１５は燃焼筒６の拡散ガラス取付口８周辺部分と密着するものである。
【００１８】
１８は器具本体２前面の前板１９の上部で熱交換器１１と対向する位置に形成された横長吹出部で、複数の横長スリットを複数段並設して構成され、器具本体２背面に設けた温風ファン（図示せず）により器具本体２背面の吸引口（図示せず）から吸引した室内空気を、熱交換器１１及び燃焼筒６外周を流通させて熱交換して加熱し、その加熱された温風の大部分を横温風として室内に放出するものである。
【００１９】
２０は横長吹出部１８下方で、耐熱ガラス１３の左右に分割して形成された縦長吹出部で、熱交換器１１で熱交換された温風の一部を更に燃焼筒６外周を通して高温とし、器具本体２前面に縦温風として放出させるものである。
【００２０】
前記前板１９の略中央に燃焼筒６の前面が露出して輻射部を形成し、前記前板１９上部に設けた縦長吹出部２０と、前記前板１９に露出している燃焼筒６前面の左右に設けた横長吹出部１８とで温風部を形成しているものである。
【００２１】
２１は器具本体２前面に備えられたガード体、２２は器具本体２前面一側に備えられた操作部で、運転スイッチ２３等のスイッチ類や表示部を有している。２４は熱交換器１１に連通し熱交換後の排気を屋外に排出する排気筒である。
【００２２】
前記熱交換器１１は、略箱状で底面が開口され、上面の一端側に燃焼ガスが通過する通過口２５が形成された集熱部７と、略箱状で底面に前記集熱部７の通過口２５と連通する流入口２６を形成し、一方の側面にパイプ１２の一端を差し込むパイプ用孔２７を複数形成した熱交右本体２８と、略箱状で一方の側面にパイプ１２の他端を差し込むパイプ用孔２７を複数形成し、他方の側面に熱交換器１１と排気筒２４を連通させる排気エルボ２９の一端が接続されるエルボ取付孔３０が形成されている熱交左本体３１とからなるものである。
【００２３】
又、前記燃焼筒６は、両端を略直角に曲げて断面略コの字状に形成し、正面下部に拡散ガラス取付口８が形成された燃焼筒前３２と、両端を略直角に曲げて断面略コの字状に形成した燃焼筒後３３とを溶接等により一体化して燃焼筒６の正面と背面及び両側面を構成し、その一体化したものの上部の開口を、中央に燃焼ガス流入孔３４を形成した略四角形状の中板３５を組み付けて燃焼筒６の上面を構成し、その一体化したものの下部の開口を中央にバーナ取付孔３６を形成した燃焼筒底板３７を組み付けて燃焼筒６の底面を構成するものである。
【００２４】
前記中板３５の上部中央には、底面が開口した略箱状の仕切板３８が設けられ、該仕切板３８が中板３５の燃焼ガス流入孔３４を完全に覆い、更に前記仕切板３８は、前記集熱部７内に位置するように設けられているものである。
【００２５】
又、前記仕切板３８の側面のうち一面が開口した開口部３９が形成されているので、前記集熱部７内に燃焼ガスの略コの字状の燃焼ガス流路を形成するものである。
又、前記仕切板３８に赤熱筒９が取り付けられた仕切り板蓋４０が密着して取り付けられることにより、赤熱筒９が集熱部７から垂下する状態になるものである。
【００２６】
又、前記燃焼筒６内の上部には、略Ｌ字状で、該Ｌ字状の一片が燃焼筒６内に溶接されて固定され、他片が中板３５の下面に溶接されて中板３５を固定する中板固定金具４１が設けられている。
【００２７】
又、前記中板３５は燃焼筒６の内周よりも小さい寸法の板状に形成され、燃焼筒６の内周と中板３５の外周との間には、隙間部４２が形成されているものである。
【００２８】
次にこの発明一実施例の作動について説明する。
運転スイッチ２３のＯＮ操作でバーナ部１は予熱を開始し、そして燃油及び燃焼空気の供給を受けて燃焼が行われ、この燃焼で発生した燃焼ガスは、燃焼筒６で形成された密閉構造の燃焼室１０で完全燃焼しながら燃焼筒６を加熱すると共に、赤熱筒９を加熱して赤熱状態とした後、集熱部７を介して熱交換器１１内を流通し排気筒２４を介して屋外へ排出される。
【００２９】
この時、バーナ部１の燃焼で発生した燃焼ガスは、バーナ部１の直上に位置する赤熱筒９内を上昇して仕切板３８内に流入する流れと、赤熱筒９の周りを上昇して仕切板３８内に流入する流れと、前記中板３５外周のほぼ全周、つまり燃焼筒６内周のほぼ全周に形成されている中板３５と燃焼筒６の内周との間の隙間部４２を通過して集熱部７に流入する流れとになり、全ての燃焼ガスが集熱部７内で合流して上部の熱交換器１１に流れるものである。
【００３０】
これにより、バーナ部１の直上に位置する赤熱筒９内を上昇して仕切板３８内に流入する燃焼ガスの流れと、赤熱筒９の周りを上昇して仕切板３８内に流入する燃焼ガスの流れとにより赤熱筒９が加熱されると共に、前記中板３５のほぼ全周に形成されている中板３５と燃焼筒６の内周との間の隙間部４２を通過して集熱部７に流入する燃焼ガスの流れにより、燃焼筒６が全体的に加熱されて、ほぼ均一に加熱されて燃焼筒６全体が高温になり、輻射量が増加するものである。
【００３１】
そして、この状態で温風ファンを駆動させれば、吸引口から吸引された室内空気が熱交換器１１の外周を通り熱交換で温風となり、この温風の大部分はそのまま横長吹出部１８から横温風として室内に放出され、又一部の温風は耐熱ガラス１３の左右に分かれて２つの縦長吹出部２０から高温度の縦温風として室内に放出されると共に、赤熱筒９と燃焼ガスにより加熱された燃焼筒６自体が輻射熱を放射する輻射体となって輻射面の温度を従来より温度ムラなく高くすることができ、それにより輻射量が増加すると共に、効率よく放熱できるものである。
【００３２】
以上のように、燃焼筒６内上部に設けた中板３５の外周と燃焼筒６の内周との間に隙間部４２を形成したので、中板３５のほぼ全周に形成されている前記隙間部４２に燃焼ガスが流れ、それにより燃焼筒６が全体的にほぼ均一に加熱されて燃焼筒６全体が高温になり、燃焼筒６自体が輻射熱を放射する輻射体となって効率よく輻射暖房できるものである。
【符号の説明】
【００３３】
１  バーナ部
６  燃焼筒
７  集熱部
９  赤熱筒
１１  熱交換器
３５  中板
４２  隙間部
【図１】
2020070964.tif 000003
【図２】
2020070964.tif 000004
【図３】
2020070964.tif 000005
【図４】
2020070964.tif 000006
【図５】
2020070964.tif 000007
【図６】
2020070964.tif 000008